【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
第１の厚さを有する第１ウインドウ領域と前記第１の厚さより厚い第２の厚さを有する第２ウインドウ領域とを含むウインドウ部材と、
前記ウインドウ部材の下部に配置された表示パネルと、を含み、
前記表示パネルは、前記第１ウインドウ領域と厚さ方向に重畳され、第１画素面積を具備する第１画素を含む第１表示領域、及び前記第２ウインドウ領域と前記厚さ方向に重畳され、第２画素面積を具備する第２画素を含む第２表示領域を含み、
前記第２画素面積は、前記第１画素面積より小さく、
2017194464.tif 000001
前記ＰＳ１は、前記第１画素面積であり、前記ＥＳ１は、前記第１画素の第１発光領域の面積であり、前記ＰＳ２は、前記第２画素面積であり、前記ＥＳ２は、前記第２画素の第２発光領域の面積であることを特徴とする表示モジュール。
【請求項２】
前記ウインドウ部材は、前記第２の厚さより厚い第３の厚さを有し、第３画素面積を有する第３ウインドウ領域をさらに含み、
前記表示パネルは、前記第３ウインドウ領域と前記厚さ方向に重畳され、第３画素を具備する第３表示領域をさらに含み、前記第２画素面積は、前記第３画素面積より大きいことを特徴とする請求項１に記載の表示モジュール。
【請求項３】
平面視するとき、前記第２表示領域は、前記第１表示領域と第３表示領域との間に配置され、前記第１表示領域を前記第３表示領域と接続させることを特徴とする請求項２に記載の表示モジュール。
【請求項４】
前記表示パネルは、
前記第１画素の下部電極を前記第１発光領域に対応するように露出させる第１画素定義膜と、
前記第２画素の下部電極を前記第２発光領域に対応するように露出させる第２画素定義膜と、をさらに含むことを特徴とする請求項１に記載の表示モジュール。
【請求項５】
前記表示パネルは、
前記第１画素と前記厚さ方向に重畳され、前記第１発光領域を規定する第１ブラックマトリックスと前記第２画素と前記厚さ方向に重畳され、前記第２発光領域を規定する第２ブラックマトリックスとをさらに含み、
前記第１ブラックマトリックスの面積は、前記第２ブラックマトリックスの面積より大きいことを特徴とする請求項１に記載の表示モジュール。
【請求項６】
平面視するとき、前記ウインドウ部材は、円形又は楕円形状を有し、
平面視するとき、前記第１表示領域は、前記第２表示領域より外側に規定され、
前記第１表示領域と前記第２表示領域との境界は、前記円形又は楕円形状を有することを特徴とする請求項１に記載の表示モジュール。
【請求項７】
前記第１画素と前記第２画素をそれぞれ複数備え、
複数の前記第１画素と前記第２画素は、円筒座標系の半径方向と接線方向に沿ってマトリックス状に配列されることを特徴とする請求項５に記載の表示モジュール。
【請求項８】
前記第１ブラックマトリックスの前記接線方向の幅は、前記第２ブラックマトリックスの一部分である前記接線方向の幅より広いことを特徴とする請求項７に記載の表示モジュール。
【請求項９】
前記第１ブラックマトリックスの前記半径方向の幅は、前記第２ブラックマトリックスの一部分である前記半径方向の幅より広いことを特徴とする請求項７に記載の表示モジュール。
【請求項１０】
前記第１画素は、前記接線方向に沿って配列される第１サブ画素と第２サブ画素とを含み、
前記第１サブ画素のサブ発光領域の少なくとも一部は、前記第２サブ画素のサブ発光領域の少なくとも一部と前記接線方向に重畳されないことを特徴とする請求項８に記載の表示モジュール。
【請求項１１】
前記表示パネルは、前記半径方向と平行である第１表示ラインと第２表示ラインとをさらに含み、
前記第２表示ラインは、複数の前記第１画素の中で前記接線方向に隣接する第１画素の間と複数の前記第２画素の中で前記接線方向に隣接する第２画素の間に配置され、
前記第１表示ラインは、前記接線方向に隣接する前記第１画素の間に配置され、前記複数の第２画素と前記半径方向に離隔されたことを特徴とする請求項７に記載の表示モジュール。
【請求項１２】
前記第１表示領域で表示される映像の情報を有する第１入力映像データと前記第２表示領域で表示される映像の情報を有する第２入力映像データを受信する制御部をさらに含み、
前記制御部は、前記第１画素面積と前記第２画素面積との間の差異に起因する輝度差を補償するように、前記第１入力映像データと前記第２入力映像データとの中で少なくともいずれか１つの階調値を補償することを特徴とする請求項１に記載の表示モジュール。
【請求項１３】
前記第１ウインドウ領域の上面の曲率は、前記第２ウインドウ領域の上面の曲率と異なることを特徴とする請求項１に記載の表示モジュール。
【請求項１４】
前記第１画素と前記第２画素をそれぞれ複数備え、
前記厚さ方向と垂直の水平方向において、
前記第２画素の中でいずれか一つの第２画素の長さは、前記第１画素の中でいずれか一つの第１画素の長さより小さいことを特徴とする請求項１に記載の表示モジュール。
【請求項１５】
前記第１表示領域の前記第１画素の総数は、前記第２表示領域の前記第２画素の総数より小さいことを特徴とする請求項１４に記載の表示モジュール。
【請求項１６】
前記水平方向において、
前記第１画素の中で隣接する第１画素間の第１距離は、前記第２画素の中の隣接する第２画素間の第２距離より大きいこと特徴とする請求項１４に記載の表示モジュール。
【請求項１７】
前記第１ウインドウ領域と前記厚さ方向に重畳され、第１タッチ電極を具備する第１タッチ領域と前記第２ウインドウ領域と前記厚さ方向に重畳され、第２タッチ電極を具備する第２タッチ領域とを含むタッチモジュールと、を含み、
前記第２タッチ電極の感度は、前記第１タッチ電極の感度より高いことを特徴とする請求項１に記載の表示モジュール。
【請求項１８】
前記第２タッチ電極の面積は、前記第１タッチ電極の面積より小さいことを特徴とする請求項１７に記載の表示モジュール。
【請求項１９】
複数の前記第１タッチ電極と複数の前記第２タッチ電極が提供され、
複数の前記第２タッチ電極の中で隣接する第２タッチ電極の間の間隔は、複数の前記第１タッチ電極の中で隣接する第１タッチ電極の間の間隔より狭いことを特徴とする請求項１７に記載の表示モジュール。
【請求項２０】
複数の前記第１タッチ電極と複数の前記第２タッチ電極が提供され、
複数の前記第１タッチ電極と複数の前記第２タッチ電極は、円筒座標系の半径方向と接線方向に沿ってマトリックス状に配列されることを特徴とする請求項１７に記載の表示モジュール。
【請求項２１】
前記タッチモジュールは、前記半径方向と平行である複数の第１タッチラインと複数の第２タッチラインとをさらに含み、
前記複数の第２タッチラインは、前記第１タッチ電極の間及び前記第２タッチ電極の間に配置され、前記第２タッチ電極の自己静電容量による信号を伝達し、
前記複数の第１タッチラインは、前記複数の第１タッチ電極の間に配置され、前記複数の第２タッチ電極から前記半径方向を離隔され、前記複数の第１タッチ電極の自己静電容量による信号を伝達することを特徴とする請求項２０に記載の表示モジュール。
【請求項２２】
前記タッチモジュールはセンシング制御部をさらに含み、
前記センシング制御部は、前記第１タッチ領域に第１感知信号を出力し、前記第２タッチ領域に第２感知信号を出力し、前記第２感知信号の強さは、前記第１感知信号の強さより大きいことを特徴とする請求項１７に記載の表示モジュール。
【請求項２３】
第１の方向に第１部分映像を表示する第１表示領域と前記第１の方向に第２部分映像を表示する第２表示領域とを含む表示パネルと、
前記第１表示領域上に配置され、前記第１部分映像をＭ１倍拡大させる縁部と前記第２表示領域上に配置され、前記第２部分映像をＭ２倍拡大させる中央部とを含み、前記第１の方向に膨らんでいる上面を有するウインドウ部材と、
前記表示パネルを収容するハウジングと、を含み、
前記Ｍ２は、前記Ｍ１より大きく、前記第１表示領域の単位領域当たりの画素数は、前記第２表示領域の単位領域当たりの画素数より大きいことを特徴とする電子時計。
【請求項２４】
ＰＮ２／ＰＮ１＝Ｍ２／Ｍ１を満足し、ＰＮ１は、前記第１表示領域の単位領域当たりの画素数であり、ＰＮ２は、前記第２表示領域の単位領域当たりの画素数であることを特徴とする請求項２３に記載の電子時計。
【請求項２５】
映像が提供される厚さ方向に膨らんでいる上面を有するウインドウ部材と、
前記上面の縁部と前記厚さ方向に重畳され、第１画素面積を有する第１画素を含む第１表示領域と前記上面の中央部と前記厚さ方向に重畳され、第２画素面積を有する第２画素を含む第２表示領域とを含む表示パネルと、を具備し、
前記第２画素面積は、前記第１画素面積より小さく、
2017194464.tif 000002
前記ＰＳ１は、前記第１画素面積であり、前記ＥＳ１は、前記第１画素の第１発光領域の面積であり、前記ＰＳ２は、前記第２画素面積であり、前記ＥＳ２は、前記第２画素の第２発光領域の面積であることを特徴とする電子装置。